Podtech/llm-jp-corpus-v4-ja_patent huggingface dataset:
(57)【要約】      （修正有）【課題】蓋の袖部分を食器の外周に合わせてすぼめることにより、使い方が簡単でありながら外れにくく、倒れた時に食器の中の液体が勢いよく流れ出すことを防ぐ、食器の外周に合わせてすぼめて使う食器用蓋を提供する。【解決手段】浅い円柱の中を空洞にした形状の食器用蓋の袖部分２の一部を切り取り、その切り口３に沿って切り口を引き寄せるための断片４を接合し、断片ごと袖部分を引き寄せることにより、食器の外周に合わせて袖部分をすぼめられるようにした、食器から外れにくい、食器の外周に合わせてすぼめて使う食器用蓋。【選択図】図１
0003116191.tif 000002
【実用新案登録請求の範囲】
【請求項１】
浅い円柱の中を空洞にした形状の食器用蓋の袖部分の一部を切り取り、その切り口に沿って切り口を引き寄せるための断片を接合し、断片ごと袖部分を引き寄せることにより、食器の外周に合わせて袖部分をすぼめられるようにした、食器から外れにくい、食器の外周に合わせてすぼめて使う食器用蓋
【考案の詳細な説明】
【技術分野】
【０００１】  本考案は使い方が簡単でありながら外れにくく、倒れた時に中の液体が勢いよく流れ出すことを防ぐ、すぼめて使う食器用蓋に関するものである。
【背景技術】
【０００２】  従来の食器用蓋には、陶器・樹脂・木等で作られていて、載せて使用するものと、食器の縁を挟んで使用するものがある。
【考案の開示】
【考案が解決しようとする課題】
【０００３】  その為、次のような問題点があった。
（イ）倒した際に蓋が滑り落ち、中の液体が勢いよく流れ出して、衣服や近くの物を汚した。
（ロ）蓋を外すときに食器を片方の手で押さえ、反対の手の指先に力を入れて蓋の任意の部分を食器から引き離した後、倒さないようにバランスをとりながら外してゆくという技量が必要であった。
（ハ）陶器・樹脂・木等の固体である為セットで提供され、他の食器には転用が難しい
本考案は以上の問題点を解決する為になされたものである。
【課題を解決する為の手段】
【０００４】  浅い円柱の中を空洞にした形状の食器用蓋の袖部分の一部を切り取り、その切り口に沿って切り口を引き寄せるための断片を接合し、断片ごと袖部分を引き寄せることにより、食器の外周に合わせて袖部分をすぼめられるようにした、食器から外れにくい、食器の外周に合わせてすぼめて使う食器用蓋である。
【考案の効果】
【０００５】  本考案は、倒した時に食器から滑り落ちないで共に倒れ堰の役目をするので、中の液体が流れ出してゆく勢いを抑え、液体が勢いよく服や近くの物に流れてゆくことを防ぐ。蓋を外す際、蓋（Ａ）を持ち上げた時、食器の重みが蓋（Ａ）の袖部分にかかって切り口が広がり外すことが出来るので、従来の蓋にあった食器を片方の手で押さえ、反対の手の指先に力を入れて蓋の任意の部分を食器から引き離した後、倒さないようにバランスを取りながら外してゆくという力や技量が必要ない。また、柔軟素材であるので多少の寸法調整が可能であり、本来のセット以外の食器に転用が出来る。
【考案を実施する為の最良の形態】
【０００６】  以下、本考案の実施の形態について説明する。
（イ）布、紙、合皮を主材として用い、浅い円柱の中を空洞にした蓋（Ａ）の袖部分（２）の一部を∩字状に切り取る。
（ロ）その切り口（３）に沿って、手で自由に曲げ伸ばしできる、ワイヤーや樹脂からなる切り口を引き寄せるための断片（４）を接合する。
本考案は以上の構成からなるもので、以下使用法について説明する。
本考案を使用する時は、食器に本考案の蓋（Ａ）をかぶせ、手で自由に曲げ伸ばしできるワイヤーや樹脂からなる切り口を引き寄せるための断片（４）の取り付けられた切り口（３）（図６）の両端を引き寄せる。これにより蓋の袖部分（２）が裾からすぼめられ（図７）、食器の外周にフィットする。本考案の蓋（Ａ）の切り口は、∩字状の他に鈎状に切り取っても同じ効果が得られる（図８）。また、切り口を引き寄せるための断片にバネや磁石を用いても同じ効果が得られるが、引き寄せるための断片にバネを使った場合には指でバネを広げて被せる。又、磁石を使った場合には被せようとする時に磁石が合わさってしまわないように磁石を指で摘んでおいて、被せた後に手を離すと磁石が引き合いすぼめることが出来る。外す時は、自由に曲げ伸ばしできるワイヤーや樹脂、バネ、磁石いずれも同じように蓋（Ａ）を持ち上げることにより食器の重さが蓋（Ａ）にかかって蓋の切り口が広がるので外すことが出来る。
【０００７】  又、図１０に示すように蓋の裏部分に吸水性に優れた素材を使用することで、勢いよく流れ出ようとする液体を吸収させることも出来る
【図面の簡単な説明】
【０００８】
【図１】本考案の斜視図
【図２】導引材を装着する前の本考案の斜視図
【図３】本考案の切り口を引き寄せるための断片の説明図
【図４】本考案の切り口と切り口に合わせた切り口を引き寄せるための断片の分離斜視図
【図５】本考案の裏面斜視図
【図６】本考案を食器に被せた側面図
【図７】本考案の実施例の側面図
【図８】本考案の切り口を四角にした場合の実施例の側面図
【図９】本考案の裏面と接合しようとする吸水シートの分離説明図
【図１０】本考案の裏面に吸水シートを接合させた裏面斜視図
【符号の説明】
【０００９】    Ａ  本考案の食器用蓋
１  天板表面
２  袖部分
３  切り口
４  切り口を引き寄せるための断片
５  食器
６  天板裏面
７  吸水シート
【図１】
0003116191.tif 000003
【図２】
0003116191.tif 000004
【図３】
0003116191.tif 000005
【図４】
0003116191.tif 000006
【図５】
0003116191.tif 000007
【図６】
0003116191.tif 000008
【図７】
0003116191.tif 000009
【図８】
0003116191.tif 000010
【図９】
0003116191.tif 000011
【図１０】
0003116191.tif 000012
(57)【要約】      （修正有）【課題】足型若しくは、つま先、かかと型に切断した粘着シートに、すべり止め部材その他、快適、衛生、健康等の効能を付し、靴、靴下への汚れ付着を防止する。【解決手段】足型若しくは、つま先、かかと型に切断した剥離可能に貼着できる粘着材付きの通気性の良い使い捨てシート１に、すべり止め部材２を設けることにより安全性を、更に香料、刺激、むくみ防止、保湿等の快適さや健康促進、又は汗吸収、抗菌消臭等の衛生を得た上で、靴、靴下への汚れ付着防止に役立つ。【選択図】図１
0003116192.tif 000002
【実用新案登録請求の範囲】
【請求項１】
剥離可能に、靴下の床等に接する面、又は素足裏に貼着する為の粘着材が１つの面に設けられ、及び、すべり止め部材が他の面に設けられている、靴・靴下への汚れ付着を防止する、使い捨ての、靴・靴下汚れ防止シート
【請求項２】
香料をシートに含ませたり、足裏つぼ刺激部材を施したり、冷却ジェル等のむくみ防止又は汗吸収、抗菌消臭等の効能を１つ、若しくは複数備えた、靴、サンダル、ミュール等の中敷汚れを防ぐ、請求項１記載の靴・靴下汚れ防止シート
【考案の詳細な説明】
【技術分野】
【０００１】  本考案は、片面に粘着性を設け、更に、すべり止め部材、又は香料、足裏つぼ刺激、冷却等のむくみ防止、汗吸収、抗菌消臭、保湿等の効果を施した、靴・靴下汚れ防止シートに関するものである。
【背景技術】
【０００２】  靴下のままでの遊び、生活の後は、特につま先、かかと部分に汚れが目立つ。素足にサンダルや靴等を履いた場合、足裏の汚れや汗等により、靴の内側、中敷が汚れやすく傷みやすかった。特許文献には、セーレン株式会社の汗吸収繊維シートが記載されている。
【特許文献１】特許公開２００５−１０３００８
【考案の開示】
【考案が解決しようとする課題】
【０００３】  靴下汚れが目立つ場合は、そのままで他の汚物と一緒に洗濯機に入れるには抵抗がある上、通常の洗濯では落ちにくい。従って、その前に手洗いで、ある程度の汚れを落とす必要が生じる。子供のいる家庭では日常的なことで、子供の数が多いと更に、時間的、労働的負担である。そこでシートを、靴下の床等に接する面に使用することにより汚れの度合を軽減させ、手洗いの負担をなくそうとするものである。【０００４】  素足にサンダル、靴等を履く傾向にあるが、この場合、足裏の汗や汚れ等により、靴本体が黒ずんだり足指の跡が残ったりした。汗等により履き心地も最良に保てないし、すべり易く足にも負担が掛かる。この場合、流通されている中敷を重ねることにより回避できるが、特にサンダルやミュールの場合、外出先で脱いだ際に、靴の持つ見た目の美しさが保てなかった。又、定期的に中敷を取り替えるには経済的負担が大きい。そこで、必要に応じてシートを足裏に直接使用することにより、靴の汚れを防ごうとするものである。【０００５】  特許文献１の汗吸収繊維シートは、床等の汚れ、埃や泥等の外部からの汚れ付着を防ぐことはできない問題がある。本考案では、すべり止め部材を設けることにより、安全性を保ち、足の負担を軽減できる利点もある。
【課題を解決するための手段】
【０００６】  本考案は、足型、若しくはつま先、かかと部分に沿うように切断した剥離可能に貼着できる、通気性のある粘着材付きシートに、裏面にすべり止め部材を設け、更に足裏接着面に、香料、足裏つぼ刺激、冷却ジェル等のむくみ防止、汗吸収、抗菌消臭、保湿等の効能を１つ若しくは複数備えることにより、問題点を解決している。
【考案の効果】
【０００７】  上述のように、本考案の靴・靴下汚れ防止シートは、靴下又は靴の汚れ付着を抑えることは勿論、床や靴等に接する面にすべり止め部材を設けることにより安全性も保つ。又、携帯にも便利な使い捨てであり、必要時に貼着、剥離が容易である。その他、通気性を考慮した素材を用い、直接足裏に貼るものには、香料、つぼ刺激、冷却等のむくみ防止、汗吸収、抗菌消臭、保湿等の効能を１つ若しくは複数兼ねることにより、快適さも得られる。靴・靴下の寿命も伸びる利点がある。
【考案を実施するための最良の形態】
【０００８】  図１に基づいて説明する。図１（ａ）は床等に接する面である。（ｂ）は靴下に貼着する面である。粘着材を全体に付してある。剥離可能に貼着できる粘着材を片面に付した通気性のあるシート１を、各サイズの足型若しくは、つま先、かかと部分の形に切断する。床面、靴等に接する面にはアクリルエマルジョン樹脂等のすべり止め部材２を点々、又は子供用にはイラスト等で施す。【０００９】  図２（ｃ）は靴等に接する面である。（ｄ）は素足に貼着する面である。付属的構成として、ジャスミン、ローズ等の香料を付してもよい。図３に示すように、足裏接着面に小さな突起を設ける等のつぼ刺激効果を出す。又は冷却ジェルなどによるむくみ防止手段を設ける。例えば市販の足・ふくらはぎ冷却シート等を本体に用いることも可能である。その他、汗吸収剤、抗菌消臭作用や保湿剤等の使用により、更に快適な装着感を提供する。
【図面の簡単な説明】
【００１０】
【図１】  靴・靴下汚れ防止シートの平面図である。
【図２】  靴・靴下汚れ防止シートの平面図である。
【図３】  付属的構成を付けた、横から見た図である。
【符号の説明】
【００１１】  １    シート
２    すべり止め部材
【図１】
0003116192.tif 000003
【図２】
0003116192.tif 000004
【図３】
0003116192.tif 000005
(57)【要約】【課題】ウレタンクッションを台形の形にし、足の長さより少し大きめにした足の爪先保護マットを提供する。【解決手段】ウレタンクッションを台形の形にし、マット（１）を足（２）より少し大きめにした事を特徴としている。【選択図】図１
0003116176.tif 000002
【実用新案登録請求の範囲】
【請求項１】
ウレタンクッションを台形のかたちにして、そして足よりすこし大きめのたかさにしてつくった足の爪先保護マット
【考案の詳細な説明】
【技術分野】
【０００１】この考案はマットを台形のかたちにしてウレタンなどクッション性のある材料でつくったマットに関するものである。
【背景技術】
【０００２】従来寝具付属品としてのマットは、床ずれ防止や体位変換用として使用されていた。
【考案の開示】
【０００３】これは次のような問題点があった。
床面に接する背中や尻やふくらはぎの部分に使用するため足の爪先保護には役にたたなかった。本考案は以上の欠点をなくすためになされたものである。
【課題を解決するための手段】
【０００４】ウレタンクッションを台形のかたちにして、そして足より少し大きめの高さにして足の爪先を保護するマットである。
【考案の効果】
【０００５】敷ふとんの上にねた状態で、掛フトンをかけても爪先はあたらない。
【考案を実施するための最良の形態】
【０００６】以下この考案の実施例について説明する。
ウレタンクッションを台形の形にしそして足より少し大きめのマットにする。
この状態で、マットが動かないように底面には、マジックテイプ等を貼っておいてもよい。又この考案は汚れ防止のためシイツ等でカバーしたり足裏の接する部分にポケットをもうけて使い捨てかいろや消臭剤等をいれてもよい。
【図面の簡単な説明】
【０００７】
【図１】本考案の斜視図である。
【図２】本こうあんの使用中の側面図である。
【符号の説明】
【０００８】１はマット  ２は足
【図１】
0003116176.tif 000003
【図２】
0003116176.tif 000004
(57)【要約】      （修正有）【課題】模型はばたき式飛行機の翼駆動機構で、クランク機構の欠点、つまりクランクの上死点及び下死点付近での空転を回避し、性能の向上と優雅な飛翔を実現する。【解決手段】左右の翼を各２分割して６の次列風切り羽根と、７の初列風切り羽根を設け、１ａと１ｂの位相差を持つメインコンビネイションクランクにより、先ず６の次列風切り羽根、次いで４分の１サイクル＝９０°遅れて７の初列風切り羽根を動かして、互いに上死点及び下死点が重ならない様にして問題を解決した。尚、重要なことは、６と７の動きの位相差が実質的に９０°になるためには、この機構に於いては、メインコンビネイションクランクの位相差θ°は４５°±５°でなければならない。【選択図】図１
0003116172.tif 000002
【実用新案登録請求の範囲】
【請求項１】
左右の翼骨を各２分割して２つの関節を設け、次列風きり羽根及び初列風きり羽根部分とし、４５°±５°の位相差を持つメインコンビネイションクランクとコネクションロッドにより、先ず次列風切り羽根、つぎに実質的に４分の１サイクル＝９０°遅れて初列風きり羽根を動かし、互いに上死点及び下死点が重ならない様な構造とした模型はばたき飛行機のはばたき機構。
【考案の詳細な説明】
【技術分野】
【０００１】  本考案は、左右両翼に各２カ所の関節を設け、第１関節と第２関節との間に、時差を付けて作動させる、模型はばたき飛行機に関するものである。
【背景技術】
【０００２】  従来の模型はばたき飛行機は、左右両翼に各１箇所のみの関節が在り、此を単クランクにより、翼のはばたき運動をさせていた。それは鳥のはばたきと言うより虫のはばたきの如きものであった。
【考案の開示】
【考案が解決しようとする課題】
【０００３】  従来のものには次の様な欠点が在った。単クランクによる往復運動機構では、その上死点及び下死点付近で運動伝達効率が極めて低く、空転状態となり、動力エネルギーの損失が大きいばかりで無く、動きもギコチナイもので、飛行性能は低い。
本考案は、以上の様な欠点を取り除く為になされたものである。
【課題を解決するための手段】
【０００４】  本考案は、左右の翼骨を各２分割して２箇所の関節を設け、次列風切り羽根及び初列風切り羽根部分とし、位相差を持つコンビネイションクランクとコネクションロッドにより、先ず次列風切り羽根、次に、実質的には９０°遅れて初列風切り羽根を動かし、互いに上死点及び下死点が重ならない様にして、問題を解決した。
【考案の効果】
【０００５】  上述の手段により、クランク及び翼全体の動きは円滑となり、効率は高まり、生きた鳥の様な優美なはばたき飛行が可能となった。
【考案の実施するための最良の形態】
【０００６】  中央の固定翼骨となる動翼取り付け部の両端に、次列風切り羽根駆動用クランク軸を貫通させる穴を設け、同クランクと次列風切り羽根の骨を取り付け、尚、初列風切り羽根用中継クランクも取り付ける。次列風切り羽根の骨の先端に初列風切り羽根駆動用クランクを貫通させる穴を設け、同クランクと初列風きり羽根の骨を取り付ける。翼中央の胴体部に位相差を持つメインコンビネ−ションクランクを設置し、各メインコネクションロッドにより次列風きり羽根駆動用クランクと、初列風切り羽根用中継クランクを連結する。
初列風切り羽根用中継クランクと初列風切り羽根駆動用クランクとは、サブコネクションロッドで連結する。初列風切り羽根用中継クランクは、次列風切り羽根駆動用クランク軸の動きに左右されず独自に動くことができる。コンビネイションメインクランクの回転方向は、正面向かって左まわり、反時計まわりである。次列風切り羽根と初列風切り羽根との位相差が実質的に４分の１サイクル、９０°となるためには、此の機構においてはメインコンビネイションクランクの位相差は４５°±５°としなければならない。
【図面の簡単な説明】
【０００７】
【図１】本考案のはばたき機構を示す正面図である。
【図２】本考案のはばたき機構を示す斜視図である。
【図３】本考案の実施例より、翼運動１サイクルの８等分割図で、１０１〜１０８を経て１０１に戻る図。
【図４】本考案の実施例より、翼運動１サイクルの８等分割図で、１０１〜１０８を経て１０１に戻る図。
【符号の説明】
【０００８】  １ａ  メインコンビネイションクランク次列風切り羽根駆動部
１ｂ  メインコンビネイションクランク初列風切り羽根駆動部
２ａ  次列風切り羽根駆動用メインコネクシヨンロッド
２ｂ  初列風切り羽根駆動用メインコネクシヨンロッド
３ａ  次列風切り羽根駆動用クランク
３ｂ  初列風切り羽根用中継クランク
４    サブコネクションロッド
５    初列風切り羽根駆動用クランク
６    次列風切り羽根の骨
７    初列風切り羽根の骨
８    中央固定翼の骨
９    胴体中央支柱
１０  軸受け
θ°  メインコンビネイションクランク位相差
【図１】
0003116172.tif 000003
【図２】
0003116172.tif 000004
【図３】
0003116172.tif 000005
【図４】
0003116172.tif 000006
(57)【要約】      （修正有）【課題】セメントブロック積みの繋ぎの接着剤とも云うべきセメントモルタルをセメントブロックの上の前後の縁及び境壁の上、即ちブロック上部全面に満遍なく同量を均一且つ同じ高さに圧着する左官鏝を提供する。【解決手段】ブロック積み鏝一杯に盛ったセメントモルタルを▲１▼上部縁（１）に満遍なく同量を均一且つ、同じ高さに圧着盛り付け次に▲２▼鏝先に受けた適量のセメントモルタルを境壁（３）の上に▲１▼に準じて順次圧着盛り付け終わって、▲３▼セメントモルタルを下部縁（２）に▲１▼に順じて圧着盛り付けブロック上部全面にセメントモルタルを均一に満遍なく同量、同高に盛りつけ終わって、ブロックを積み上げる。此の作業の繰り返しでセメントブロックは下の構造体と完全に活着して強固な建造物となり、施工は素人、職人の別無く容易で強固なセメントブロックの構築はたやすく強固な建造物は出来上がる。【選択図】図１
0003116180.tif 000002
【実用新案登録請求の範囲】
【請求項１】
逆Ｕ字形に湾曲した半円形状のセメントブロック積み用の左官鏝
【考案の詳細な説明】
【考案の詳細な説明】
【０００１】セメントブロック積みの繋ぎの接着剤とも云うべきセメントモルタルをセメントブロックの上の面の前後の縁（１，２）及び境壁（３）の上、即ちブロック上部全面に満遍なく同量を均一且つ同じ高さに圧着する左官鏝。
【背景技術】
【０００２】ハート型又は此れに類する大型の左官鏝で唯単にセメントブロックの上の面の前後の縁（１，２）にのみセメントモルタルを鏝で載せて、セメントブロックを積み重ねる、此れの順次繰り返しの継続施工で最も大切なセメントブロックの上の面の境壁（３）の上えのセメントモルタルの圧着は無いままに積み上げ施工されていた。
【考案が解決しようとする課題】
【０００３】この弱点の改良の為にセメントブロックの上の面の前後縁（１，２）及び境壁部（３）即ち上部全面にセメントモルタルを満遍なく同量を均一且つ同じ高さに圧着してセメントブロックを積み上げ施工してセメントブロック建築本来の強度を持つセメントブロック構造建築物の施工工事を容易にする。
【考案の効果】
【０００４】容易にセメントブロック個体の上、従来の上部前後の縁（１，２）は勿論困難な為に施工されなかった境壁（３）の上、即ち上部全面にセメントモルタルを均一且つ同じ量を同じ高さに確実に圧着してセメントブロックを積み上げ施工することが出来、セメントブロック構造建築本来の強度が生まれ、地震その他の衝撃に対して容易に倒壊の惨禍を来たさない。
【図面の簡単な説明】
【図１】セメントブロック積み鏝の側面から見た概観図
【図２】セメントブロック積みに於けるセメントモルタル圧着部位
【符号の説明】
１    セメントブロック上の面の前縁
２    セメントブロック上の面の後縁
３    セメントブロック上の面の境壁
【図１】
0003116180.tif 000003
【図２】
0003116180.tif 000004
(57)【要約】      （修正有）【課題】洗濯物を干すとき洗濯物間など狭いスペース内で小洗濯物が効果的に干せるようにし、また一方の洗濯挟みを竿に直接挟み略固定しその下に下がった二つの洗濯挟みに小洗濯物を挟んで干せるようにした物干し具を提供する。【解決手段】三方型に一体成型したプラスチック及び合成樹脂等、板状物の各先端に適宣長さの鎖状物及び紐状物を設けその端に洗濯挟みを接合し、三方型板の中心部及び適宣部分等に敵宣孔を設け、本ハンガー及び他ハンガー等を下げられるようにした物干し具。【選択図】図１
0003116175.tif 000002
【実用新案登録請求の範囲】
【請求項１】
プラスチック及び合成樹脂等板状の物を、三方型に一体成型（１）し中心部及び適宣部分に洗濯挟みの口部が挟めるほどの孔（６）を設け、美観のため孔の周囲に丸形模様及び花形模様（７）を設け、三方型の各先端に鎖状物及び紐状物が通る孔（４）を空けそこに適宣長さの鎖状物及び紐状物（３）を設けその先端に洗濯挟みのスプリング部（５）に接合した孔空き三方型ハンガーである。
【考案の詳細な説明】
【技術分野】
【０００１】  本考案は、洗濯物を干すとき洗濯物間等狭いスペース内で、小洗濯物が効果的に干せるようにした物干し具に関するものである。
【背景技術】
【０００２】  従来洗濯物を干すとき竿に拡げて干したり、洗濯挟みが複数個下がったハンガー等を使用していた。
【考案の開示】
【考案が解決しようとする課題】
【０００３】  洗濯物を拡げて干せば、洗濯物と洗濯物との間が狭くなり、他の洗濯物が干せなかったり、そして複数個洗濯挟み付きハンガー等を使用すると洗濯物と複数個洗濯挟み付きハンガー、また複数個洗濯挟み付きハンガーと複数個洗濯挟み付きハンガー等の間に無駄な空間ができ不経済であった。
【課題を解決するための手段】
【０００４】  本考案は、プラスチック及び合成樹脂等板状の物を、三方型に一体成型し中心部及び適宣部分に、洗濯挟みの口部が挟める程度の孔を設け、美観のため孔の周囲に丸形模様及び花形模様を設け、三方型板の各先端の適宣部分に鎖状及び紐状物を設けその先端に洗濯挟みのスプリング部に鎖状及び紐状物の先端を接合した孔空き三方型ハンガーである。
【考案の効果】
【０００５】  上述の様に、本考案の孔空き三方型ハンガーはプラスチック又は合成樹脂等で板状の物を使用するので、洗濯物間等狭いスペースでも干せ、また中心部及び適宣部分に空けた孔に本考案のハンガーの洗濯挟みの一つを挟んだり、他ハンガーフックを引っかけて干せばより多くの洗濯物が干せる。そして本孔空き三方型ハンガーのどの端の洗濯挟みの一つを竿に挟んでも洗濯物を干すことができる。
【考案の実施するための最良の形態】
【０００６】  本三方型ハンガーの一端にある洗濯挟みを直接、竿に挟めば、他ハンガーの挟み式フックのように竿に略固定でき下に下がった二つの洗濯挟みに洗濯物を挟んで干せる。      またハンカチ及び靴下等の小洗濯物を干すとき、本考案のハンガーを何枚か使用して、一端の洗濯挟みを竿に並べて挟み下に下がった二つの洗濯挟みを使用して干せば多くの洗濯物が干せる。また本ハンガーの中心部等に空けた孔に本考案のハンガーの洗濯挟みの一つを挟んだり、他ハンガーのフックを引っ掛けて干せばより多くの洗濯物が干せる。
そして本考案のハンガーの二つを少し離して使用すればズボンなどの腰部を拡げて干せる。
【図面の簡単な説明】
【０００７】
【図１】本考案の孔空き三方型ハンガーの正面図である。
【図２】本ハンガーの洗濯挟みの一つを竿に挟み、並べて掛けたところの斜視図である。
【図３】本ハンガーの洗濯挟みの一つを竿に掛け、中央部辺りにあいた孔に、別の本ハンガーの洗濯挟みの一つを挟み下げ、縦に掛けた斜視図である。
【図４】本ハンガーで靴下を干したところの斜視図である。
【図５】本ハンガーでハンカチを干した斜視図である。
【図６】本ハンガーで靴下と、ハンカチを縦に干したところの斜視図である。
【図７】洗濯物と洗濯物の間に本ハンガーでハンカチを干したところの斜視図である。
【符号の説明】
【０００８】１  孔空き三方型ハンガー本体
２  洗濯挟み
３  鎖状物及び紐状物
４  鎖状物及び紐状物を通す孔
５  洗濯挟みのスプリング
６  中心部辺りに開けた孔
７  花形及び丸形模様。
【図１】
0003116175.tif 000003
【図２】
0003116175.tif 000004
【図３】
0003116175.tif 000005
【図４】
0003116175.tif 000006
【図５】
0003116175.tif 000007
【図６】
0003116175.tif 000008
【図７】
0003116175.tif 000009
(57)【要約】【課題】猫、犬、ウサギ等のペットを洗浄した後、該ペットに付着している水を容易に拭き取ることができるペット用タオルを提供する。【解決手段】ペット３の背部５より両側部７、７に垂下する本体部１と、該本体部１に備えさせた該ペット３の頭部９用の挿通孔１１とよりなることを特徴とするペット用タオル。ペット用タオルの本体部１は、略長方形状のタオルを中央より下方に略逆Ｕ字状に折り曲げ、前縁の下部１７を相互に逢着し、前縁の上部を逢着することなく開口して挿通孔１１としてなるものである。また、ペット用タオルの本体部１は、略円形状のタオルにおける縁部１９の近傍に挿通孔１１を形成してなり、或いは、略長方形状のタオルにおける縁部２１の近傍に挿通孔１１を形成してなるものであってもよい。【選択図】図１
0003116110.tif 000002
【実用新案登録請求の範囲】
【請求項１】
ペットの背部より両側部に垂下する本体部と、該本体部に備えさせた該ペットの頭部用の挿通孔とよりなることを特徴とするペット用タオル。
【考案の詳細な説明】
【技術分野】
【０００１】
本考案は、ペット用タオルに関するものであり、特に、猫、犬、ウサギ等のペットを洗浄した後、該ペットに付着している水を拭き取るためのペット用タオルに係るものである。
【背景技術】
【０００２】
猫、犬、ウサギ等のペットを洗浄した後、該ペットに付着している水を拭き取る際には、一般に長方形状のタオル（以下「従来のタオル」という。）が使用されている。
【０００３】
実用新案登録第３１０９３１６号公報は、ペットに付着している水を拭き取る人の手を挿入するためのポケットを左右両端に備えたポケット付きタオル（以下「従来のポケット付きタオル」という。）を開示している。
【０００４】
従来のポケット付きタオルにおいては、ペットに付着している水を拭き取る人が手をそれぞれ左右両端のポケットに挿入し、ペットを抱きながら該ポケット付きタオルによりペットの体を拭いて、ペットに付着している水を除去するようにしている。
【特許文献１】実用新案登録第３１０９３１６号公報
【考案の開示】
【考案が解決しようとする課題】
【０００５】
上記従来のタオルにおいては、ペットの体を拭こうとするとペットが該タオルから逃げてしまうという問題がある。特に、水の拭き取りを嫌う猫等の場合には、従来のタオルにより体に付着している水を拭き取る作業は困難である。
【０００６】
上記従来のポケット付きタオルにおいては、ペットに付着している水を拭き取る人が手をそれぞれ左右両端のポケットに挿入した状態で該タオルによりペットの体を拭かなければならないため、両手の動きが制約され、かえってペットの体を拭く作業が困難になるおそれがある。
【０００７】
本考案は、上記従来の技術における上述の如き問題を解決し、猫、犬、ウサギ等のペットを洗浄した後、該ペットに付着している水を容易に拭き取ることができるペット用タオルを提供しようとしてなされたものである。
【課題を解決するための手段】
【０００８】
上記課題を解決するために、本考案は、下記のペット用タオルを提供する。
【０００９】
ペットの背部より両側部に垂下する本体部と、該本体部に備えさせた該ペットの頭部用の挿通孔とよりなることを特徴とするペット用タオル。
【００１０】
［考案の作用］
ペットを洗浄した後、本考案のペット用タオルによりペットに付着している水を拭き取る際には、本体部に備えさせた挿通孔にペットの頭部を挿通させて該頭部を本体部から外部に露出させた状態で本体部をペットの背部より両側部に垂下させる。即ち、ペットはペット用タオルをあたかもマントの如く着用した状態となる（図１参照）。この状態で、ペット用タオルの本体部をペットの体に擦り付けることにより、ペットの体に付着している水を拭き取る。
【考案の効果】
【００１１】
本考案によるペット用タオルは、本体部をペットの背部より両側部に垂下させるようにしているため、本体部はペットの胴部を包んだ状態となる。従って、ペットに付着している水を拭き取る作業は容易である。また、ペットは、本体部に備えさせた挿通孔から頭部を外部に露出させた状態となるため、ストレスを感ずることが少ない。従って、水の拭き取りを嫌う猫等の場合においても、拭き取り作業中にペットが暴れるおそれはなく、拭き取り作業を円滑に行なうことができる。
【考案を実施するための最良の形態】
【００１２】
符号１に示すものは、ペット用タオルの本体部である。
【００１３】
本体部１は、例えば、綿又はポリエステル等のマイクロファイバーにより形成した吸水性に優れたタオルよりなるものである。
【００１４】
本体部１は、ペット３の背部５よりペット３の両側部７、７に垂下する。
【００１５】
ペット３としては、例えば、猫、犬、ウサギ等が考えられるが、本考案のペット用タオルはその他のペットに使用しても差し支えない。
【００１６】
本体部１にはペット３の頭部９用の挿通孔１１を備えさせる。
【００１７】
本体部１の挿通孔１１には、好ましくはゴム紐１３を備えさせることにより、該挿通孔１１がペット３の首１５にフィットするようになす。
【００１８】
図１、図２に示すペット用タオルの本体部１は、略長方形状のタオルを中央より下方に略逆Ｕ字状に折り曲げ、前縁の下部１７を相互に逢着し、前縁の上部を逢着することなく開口して挿通孔１１としてなるものである。
【００１９】
図３に示すペット用タオルの本体部１は、略円形状のタオルにおける縁部１９の近傍に挿通孔１１を形成してなるものである。
【００２０】
図４に示すペット用タオルの本体部１は、略長方形状のタオルにおける縁部２１の近傍に挿通孔１１を形成してなるものである。
【図面の簡単な説明】
【００２１】
【図１】本考案によるペット用タオルの使用状態の一例を示す斜視図である。
【図２】同上ペット用タオルの斜視図である。
【図３】本考案によるペット用タオルの別の一例を示す展開図である。
【図４】本考案によるペット用タオルの更に別の一例を示す展開図である。
【符号の説明】
【００２２】
１  本体部
３  ペット
５  背部
７  側部
９  頭部
１１  挿通孔
１３  ゴム紐
１５  首
１７  下部
１９  縁部
２１  縁部
【図１】
0003116110.tif 000003
【図２】
0003116110.tif 000004
【図３】
0003116110.tif 000005
【図４】
0003116110.tif 000006
(57)【要約】      （修正有）【課題】キャップ付ノックスライド式調味料・香辛料ふりかけ容器で、軽量、携帯機能、好みにあわせて量を調節する事が出来る定量化した個人の専用容器の提供。【解決手段】透明なカートリッジに様々な調味料・香辛料を一定量入れ、ピストン原理を利用し、押し出すことで、瞬時に使用できる。そのため、衛生面、消費期限のチェック、混合など個々の好みに合わせた使用が可能になる。【選択図】図２
0003116775.tif 000002
【実用新案登録請求の範囲】
【請求項１】
ノックスライド式筆記具のピストンの原理を応用し、カ−トリッジ、中に調味料・香辛料・塩などを入れ、いつでも、どこでも好きな量を使えることを特徴にした、小型軽量、携帯性、衛生的、個々の健康管理に合わせた定量化可能なふりかけ容器
【考案の詳細な説明】
【技術分野】
【０００１】  本考案は、キャップ付ノックスライド式携帯ふりかけ容器に関するものである。
【背景技術】
【０００２】  今までは、外食をする際、好みの味を調節するためには、そこに置かれた調味料容器を使用していた。形状は、様々だが、穴の大きさにより内容の出方が、まちまちで、調節が困難であった。さらに保管や、消費期限の不明な点もあり不安があった。
【考案の開示】
【考案が解決しようとする課題】
【０００３】  軽量で携帯できる上、個々に合わせた定量使用ができ、また衛生面も解決できるのである。食事時の個人の好みを大切に考え、前述の諸欠点を解決しようとするものである。
【課題を解決するための手段】
【０００４】  本考案は、すでに普及されているノックスライドを応用し、従来にない調味料・香辛料のふりかけ容器として使用し、押し出し式カ−トリッジを定量化することにより、より正確な量の使用が可能となり、清潔で、定量化した個人の専用容器として、問題点を解決している。
【考案の効果】
【０００５】  軽量、小型で、どこへでも携帯できることで病弱、高齢者にも汎用性が高い点。分量の調節ができるため、個人の健康、好みを正確に反映できる点。消費期限が正しくチェックできる点。衛生的である点。従来の調味料・香辛料容器デザインに比べ、美しくスタイリッシュにできる点。エコ素材利用により使い捨てできるカ−トリッジが考えられ、環境に配慮できる点。
【考案の実施するための最良の形態】
【０００６】  容器は、ノックスライドすることでカートリッジ内部に送られる圧力を利用し、その中の透明カ−トリッジの先端を破り、中に入れた一定量の調味料・香辛料が、瞬時に押し出される。カートリッジの直径、長さで、定量化できる。
【実施例】
【０００７】  以下、添付図面に従って一実施例を説明する。１は、透明プラスチック等適宣素材にて形成された容器の本体。２は、同じ素材を用いた卓上において立て掛けられるキャップ。これで、開口部の衛生が保持される。３のノックボタンは、複数のスライドボタン４が同時に作動するしくみで、内容物を混合するために有効なものである。４は、単一スライドボタンで、６があることで、下方にスライド可能となる。４の構造は、図２の通りであるが、このスライドボタンの先にあるのが、８である。８は、カ−トリッジの内容物を密閉している膜を押して破る役目をする押し出し機のようなもの。この圧力により、もう一方の膜も破け、内容物が外に出るしくみである。また、７は、１〜５つぐらいまでの厚みのある穴あきリングで、ここにカ−トリッジを差し込み、安定を保つ為のもので、固定されている。【０００８】  本考案の一実施例は、上述の如き構成からなるものであるから、本体とカートリッジの長さ、太さを考えれば、様々な組み合わせのスタイリッシュなデザインの調味料・香辛料の容器が、可能になるのである。
【図面の簡単な説明】
【０００９】
【図１】本考案のキャップ付ノックスライド式調味料・香辛料ふりかけ容器の実施例を示す正面図である。
【図２】本容器の断面図である。
【符号の説明】
【００１０】  １  容器本体
２  卓上安定キャップ
３  全体同時ノックボタン
４  単一スライドボタン
５  カ−トリッジ取り出しのためのネジしき式開口都
６  スライド部分の遊び
７  カ−トリッジ差し込み口穴あきリング
８  押出し部分
【図１】
0003116775.tif 000003
【図２】
0003116775.tif 000004
【手続補正書】
【提出日】平成17年8月22日(2005.8.22)
【手続補正１】
【補正対象書類名】実用新案登録請求の範囲
【補正対象項目名】全文
【補正方法】変更
【補正の内容】
【実用新案登録請求の範囲】
【請求項１】
調味料・香辛料・塩などの収容物を個別に充填したカ−トリッジと各カ−トリッジ上方で独立して昇降する単一スライドボタンとを有するふりかけ容器であって、前記単一スライドボタンを押し下げることで、前記カ−トリッジの先端を破って、収容物を放出させることを特徴とするキャップ付ノックスライド式調味料香辛料ふりかけ容器。
(57)【要約】      （修正有）【課題】厳密な加工精度を要求しない下水道工事、電気工事、空調工事、建設工事などにおいて、作業時にスケールを使って切り取り、曲げなどのマーキングの必要のない工事用資材を提供する。【解決手段】上水道、下水道、プラント工事用樹脂管およびスチール管、空調配管及び断熱材、電気、通信工事用配管及び電線、建築用資材及び仮設材、テープ状の加工及び加工補助材等の工事用資材を製造する段階で、作業用目盛りをプリントしておく。下水道、電気、空調、建設などの資材加工、工事では数ミリ単位の制度を必要としない場合が多く、資材にプリントした作業用目盛りが有効に使える。また、ドラムに巻いた電線、チューブ、テープなどを巻き戻して切り取る作業では作業ロス、資材ロスの改善が期待できる。【選択図】図１
0003116780.tif 000002
【実用新案登録請求の範囲】
【請求項１】
加工及び工事用資材に、作業を容易にする為の作業用目盛りを付けた資材。
資材とは、（１）上水道、下水道、プラント工事用の樹脂管及びスチール管。  （２）空調用配管及び断熱材。  （３）電気、通信工事用配管および電線。  （４）建設用資材および仮設資材。  （５）テープ状の加工および加工補助材等。
【請求項２】
資材に付ける作業用目盛りは、メートル法に基づく目盛りで、資材の表面の長手方向に平行して、資材の種類、工法に適合した目盛りやマークをプリントしたもの。
【考案の詳細な説明】
【産業上の利用分野】
【０００１】主に、上水道、下水道、空調、電気、通信、建設などの資材加工、現場工事。
【背景技術】
【０００２】  請求項１に示す資材には、加工作業及び工事を容易にする為の工事用目盛りがプリントされていない。
【考案が解決しょうとする問題点】
【０００３】  資材を必要な長さに切断、又は曲げ、組み立てなどの作業をする時、その都度、資材に物差しを当ててマーキングする必要があった。
【０００４】ドラムに巻いたもの、ループ状にした電線、樹脂管、パイプなどの資材を巻き戻して切り取る作業では、材料に曲げ癖が残り正確に測り取りにくい。この為に、材料不足を避けようとして資材を余分に切り取る傾向がり、ロスを招いている。
【課題を解決する為の手段】
【０００５】  資材を製造する段階で、請求項２に示す作業目盛りをプリントしておく。
目盛りの単位、マーク類は、資材の種類、加工方法により適切なものを選択する。
【考案の効果】
【０００６】この提案により次の効果が期待できる。  （１）加工精度が許される範囲で全体を測る必要が無くなる。  または、限られた区間の目盛りのみ測ればよい。  （２）長手方向に連続した目盛りがあることで、曲げ方向の目安になる。  （３）ドラムに巻いた資材の採寸が容易になり余分に切り取るロスが減少する。  （４）資材を測り売りする販売店でもこの目盛りは利用出来る。  （５）直管にプリントされた目盛りを使えば簡易的な物差しに利用できる。  （６）半端になった資材の残量も容易にわかる。
【図面の簡単な説明】
【０００７】
【図１】は、工事用資材である水道用塩化ビニール配管に、資材の長さを示す目盛りをプリントした状態を示す。目盛りの単位、マーキングは資材の種類、工事、加工方法により適切なものを選択する。
【図１】
0003116780.tif 000003
【手続補正書】
【提出日】平成17年8月25日(2005.8.25)
【手続補正１】
【補正対象書類名】実用新案登録請求の範囲
【補正対象項目名】全文
【補正方法】変更
【補正の内容】
【実用新案登録請求の範囲】
【請求項１】
加工および工事用資材に、資材自体の長さがわかる作業用目盛りをプリントしたものであることを特徴とする資材。資材とは、（１）上水道、下水道、プラント工事用樹脂管およびスチール管。（２）空調用配管及び断熱材。（３）電気、通信工事用配管及び電線。（４）建設用資材及び仮設材。（５）テープ状の加工及び加工補助材等。
【請求項２】
請求項１記載の資材において、前記資材自体の長さがわかる作業用目盛りは、メートル法に基づく目盛りで、資材の種類、工法に適合した単位の目盛りを資材の長手方向に平行して資材の長さがわかるようにプリントしたことを特徴とする請求項１記載の資材。
(57)【要約】【課題】  日めくりカレンダーの各紙を利用して、日付および暦に関する情報とは別の目的で楽しむことができる情報を提供する。【解決手段】  日めくりカレンダーの各紙に日付および暦に関する情報に加えて、折紙の絵柄または折り方あるいは塗り絵のための絵柄を印刷する。これにより折紙を折ってみたいという意欲を喚起することができる。【選択図】    図１
0003116771.tif 000002
【実用新案登録請求の範囲】
【請求項１】
日めくりカレンダーの各紙に折紙の絵柄または折り方を印刷した日めくりカレンダー。
【考案の詳細な説明】
【技術分野】
【０００１】  本考案は、日めくりカレンダーに関するものである。
【背景技術】
【０００２】  １年分の日めくり束の各紙に日付および暦に関する情報を印刷し、日付および暦に関する情報を伝達する。
【考案の開示】
【考案が解決しようとする課題】
【０００３】  日めくりカレンダーの各紙を利用して、日付および暦に関する情報とは別の目的で楽しむことができる情報を提供する。
【課題を解決するための手段】
【０００４】  日めくりカレンダーの各紙に日付および暦に関する情報に加えて、折紙の絵柄または折り方あるいは塗り絵のための絵柄を印刷する。これにより折紙を折ってみたいという意欲を喚起することができる。
【考案の効果】
【０００５】  上述したように本考案によれば、日めくりカレンダーの各紙を利用して、日付および暦に関する情報に加えて、折紙の絵柄または折り方を印刷することにより、紙を利用して楽しむための情報を提供することができる。
【実施例】
【０００６】  以下、本発明を図面に示す実施例に基づいて具体的に説明する。図１は本考案の実施例を示すものである。図中１はカレンダー部で日付、暦を表示する面である。図中２は折紙部であり、本図の例では折紙として使用したくなる意欲を喚起するために柄を印刷してある。【０００７】  図２は本考案の実施例を示すものである。図中１はカレンダー部で日付、暦を表示する面である。図１とは別の日付で別の紙に印刷されている。図中２は折り方部であり、折紙の折り方を表示する部分である。制作者は、図１中の折紙部２を切り取って図２の折り方部２を参照しながら折紙を楽しむことができる。また、図１中の折紙部２にミシン目などをほどこしておくことにより、製作者が図１の折紙部を切り取ることを容易にする。【０００８】  上記例では折紙部、折り方部を別の紙に印刷したものとしたが、同一の紙に印刷することもできる。
【図１】
0003116771.tif 000003
【図２】
0003116771.tif 000004
【手続補正書】
【提出日】平成17年9月3日(2005.9.3)
【手続補正１】
【補正対象書類名】実用新案登録請求の範囲
【補正対象項目名】全文
【補正方法】変更
【補正の内容】
【実用新案登録請求の範囲】
【請求項１】
日めくりカレンダーに折紙教材または折り紙を一体に構成して成る日めくりカレンダー。
【手続補正２】
【補正対象書類名】明細書
【補正対象項目名】全文
【補正方法】変更
【補正の内容】
【考案の詳細な説明】
【技術分野】
【０００１】  本考案は日めくりカレンダーに関するものである。
【背景技術】
【０００２】  １年分の日めくり束の各紙に日付および暦に関する情報を印刷し、日付および暦に関する情報を伝達する。
【考案の開示】
【考案が解決しようとする課題】
【０００３】  日めくりカレンダーの各紙を利用して、日付および暦に関する情報とは別の目的で楽しむことができる情報を提供する。
【課題を解決するための手段】
【０００４】  日めくりカレンダーの各紙に日付および暦に関する情報に加えて、折紙の絵柄または折り方あるいは塗り絵のための絵柄を印刷する。これにより折紙を折ってみたいという意欲を喚起することができる。
【本発明の効果】
【０００５】  上述したように本考案によれば、日めくりカレンダーの各紙を利用して、日付および暦に関する情報に加えて、折紙の絵柄または折り方を印刷することにより、紙を利用して楽しむための情報を提供することができる。
【実施例】
【０００６】  以下、本発明を図面に示す実施例に基づいて具体的に説明する。図１は本考案の実施例を示すものである。図中１はカレンダー部で日付、暦を表示する面である。図中２は折紙部であり、本図の例では折紙として使用したくなる意欲を喚起するために柄を印刷してある。【０００７】  図２は本考案の実施例を示すものである。図中１はカレンダー部で日付、暦を表示する面である。図１とは別の日付で別の紙に印刷されている。図中２は折り方部であり、折紙の折り方を表示する部分である。制作者は、図１中の折紙ページ（２）取って図２の折り方部２を参照しながら折紙を楽しむことができる。また、図１中の折紙部２にミシン目などをほどこしておくことにより、製作者が図１の折紙部を切り取ることを容易にする。【０００８】  上記例では折紙部、折り方部を別の紙に印刷したものとしたが、同一の紙に印刷することもできる。
【図面の簡単な説明】
【０００９】
【図１】本考案の実施例を示す平面図である。
【図２】本考案の実施例を示す平面図である。
【符号の説明】
【００１０】１はカレンダー部、２は折り紙部、３  折り方部
【手続補正３】
【補正対象書類名】図面
【補正対象項目名】全図
【補正方法】変更
【補正の内容】
【図１】
0003116771.tif 000005
【図２】
0003116771.tif 000006
(57)【要約】      （修正有）【課題】特別な、網籠と編蓋を作り、これ等を使用することで、ドラム式洗濯機を除く、家庭の洗濯機で楽に、洗濯機もシューズも痛めることなく洗える。【解決手段】柔らかく丈夫な塩化ビニール等適宣素材で作られた、円筒形の網籠と編蓋編籠の底は細かい網目状でき、洗濯槽の底との抵抗を軽くし、又  砂、小石を逃がさず、周りには水の出入りができて、しかも円の大きさ調節可能なホースがついている。筒の中は、複数のシューズが固定し易い、仕切りがある。編蓋はシューズを痛め無い様、細かい網目状で作り、この上に、塩化ビニール素材の物が円状に数本乗っている。この間に布タオル等適宣素材を張り、これが水を含む事で、シューズの浮き上がりを押さえる。この事で洗濯機もシューズも痛めること無く、洗濯機で洗う事ができる。【選択図】図１
0003116779.tif 000002
【実用新案登録請求の範囲】
【請求項１】
ドラム式洗濯機を除く、家庭用洗濯機の洗濯槽に装着して、３割以上の、布の部分がある、色々の形と大きさのシューズを、一足でも、数足でも、一度で洗うことができる編籠をつくる。
この編籠は、洗濯機の、底の動きに抵抗を受けず、砂、ほこり、小石、を逃がさず、又色々な洗濯漕に装着でき、編籠の中に仕切りを作ることで、数足のシューズを固定し、バランスよく洗濯と遠心脱水することが出来る。以上を特徴とした編籠です。
【請求項２】
編蓋は、洗濯中には水を含み、シューズの浮き上がりを押さえて、シューズの安定を良くし、洗濯及び脱水する事ができる。以上を特徴とした、ドラム式洗濯機を除く、洗濯機用シューズ洗い専用の、編籠の為の編蓋です。
【考案の詳細な説明】
【技術分野】
【０００１】本考案は、ドラム式洗濯機を除く、家庭用の洗濯機で、シューズを洗う為の、網籠と編蓋に関するものである。
【背景技術】
【０００２】一般的に、洗濯機で洗濯をする道具としては、衣服用ネットはあるが、シューズを洗うには適さない。普通、家庭でシューズを洗う時は、ブラシで手洗いをして場合が多い。
【考案の開示】
【考案が解決しようとする課題】
【０００３】洗濯ネットを使用して、シューズを洗うと、洗濯機の初動作で、洗濯槽の底と側面に、シューズが当たり、洗濯槽もシューズも衝撃で痛む。また水張り洗濯中では、シューズは中に空気を含み、水面に浮き上がり、充分な洗濯効果が得られず、また排水後も、シューズの位置がさだまらず、遠心脱水する時、バランスをくずし、洗濯機はエラー中止となる。以上の欠点を解決しようとするものである。
【課題を解決するための手段】
【０００４】洗濯機用シューズ専用の、網籠と編蓋をつくる。
洗濯槽に入れやすい、柔らかさと、原型に戻る強さ、をもつ編籠と編蓋。網籠の底は、細かい網目状で、洗濯槽の底の抵抗を抑え、砂、小石を逃がさず、又底の周りに、水の出入りが出来、しかも、洗濯機にフイットさせる、調節機能をもつホースをつける。
編籠の円筒のなかは、仕切りをつくり、シューズを固定し易くする。
編蓋は、細かい網目状でシューズを痛めず、又、編蓋の周りと上に、塩化ビニール素材の物を数本取り付ける。その間に、水を含み易く、脱水し易い素材を張り、これが水を含むことで、シューズの浮き上がりを押えシューズを安定する。この網籠と編蓋を使うことで、問題を解決してい。
【考案の効果】
【０００５】編籠と編蓋を使用することで、シューズを固定し、バランスがよく、浮き上がりも押さえられて、ドラム式洗濯機を除く、家庭用洗濯機で、シューズも洗濯機も、痛めずに洗うことができ。
【考案を実施するための最良の形態】
【０００６】柔らかく、丈夫な塩化ビニール等適宣素材で、円筒形の編籠。上部を中心に向かって押さえ、楕円形にする事により、洗濯槽に入れる事ができる。網籠の底は、細かい網目状にし、洗濯槽の底の抵抗を少なくし、また、砂、小石を逃がさなない。底の周りには、編籠の太さと、底からの高さ、が調節できるホースをつける。このホースは、片方のホースの先を細くし、もう片方のホースの先の中に１０ｃｍ程入れ、円状にした。この接続部から、水の出入りが容易に出来、洗濯槽が動くことで、ホースに水が入り洗濯槽にフイットする。
編籠の円筒の部分は、底から５ｃｍは、砂や小石を逃がさない様に細かい網目状にし、上の部分は粗い編み目状にして、洗剤の攪拌と水流の勢いを良くする。円筒の中は、粗い網目の仕切りを設置し、シューズが固定し易いようにする。又、編蓋は、塩化ビニール素材で、薄く、細かい網目状の円形で編蓋の回りと、上に数本の塩化ビニール素材の物を、円状に数本取り付ける。その間には、布タオル等適宣素材を張る。その上から薄く、細かい網目状の物で押える。この布タオル等適宣素材が水を含むことで、シューズの浮き上がりを押さえる。
【実施例】
【０００７】以下添付図面に従って一実施例を説明する。本考案の網籠と編蓋は、丈夫で柔らかい，塩化ビニール等適宣素材で、作られたもので、網籠の上部、を中心に向かって押さえ、楕円形にし、斜めにして洗濯槽にいれる。入ったら、籠全体が平らになる様に形を整えます。シューズの片方を２の場所に、つま先を下に、靴底を籠の中心に向けて入れます。もう片方を、対称となる３の場所に、つま先を下に、靴底を籠の中心に向けて入れます。他の靴も、同じ様にしていれます。４と５の場所は、靴をつま先から、靴底を内側にし、バランスが取れるように，踵と踵を併せないように、Ｘ状にしていれます。靴が入ったら、編蓋を載せ、洗濯機をスタートする
【図面の簡単な説明】
【０００８】
【図１】本考案の洗濯機用シューズ洗い専用の、編籠と編蓋の実施例を示す上から見た図である。網籠の細かい網目の線は、固定する仕切りの線と重なる為、省きます。
【図２】編籠の断面図である。仕切りの線は、網目と重なる為、省きます。
【図３】編蓋の断面図です。
【符号の説明】
【０００９】１  調節部
２  シューズの固定場所
３  シューズの固定場所
４  シューズの固定場所
５  シューズの固定場所
６  ホース
７  布タオル様素材の物
８  塩化ビニール素材の細かい網目状の物
９  塩化ビニール素材の粗い目状の物
１０塩化ビニール素材の物
【図１】
0003116779.tif 000003
【図２】
0003116779.tif 000004
【図３】
0003116779.tif 000005
【手続補正書】
【提出日】平成17年8月11日(2005.8.11)
【手続補正１】
【補正対象書類名】実用新案登録請求の範囲
【補正対象項目名】全文
【補正方法】変更
【補正の内容】
【実用新案登録請求の範囲】
【請求項１】
塩化ビニール等適宣素材で出来た円筒形の編籠で、円筒の中は粗い編目の仕切りがあり、編籠の上部は粗い編目状、底と下部５ｃｍまでは、細かい網目状で、編籠の底の周りには、調節機能をもつホースが付いた構造を有する編籠。
【請求項２】
塩化ビニール等適宣素材で、薄く、細かい網目状の円形で、円の周りと、上に数本の塩化ビニール等適宣素材の物を円状につけ、その間には、布タオル等適宣素材を張り、その上から薄く、細かい網目状の塩化ビニール等適宣素材の物で押えて作られた網蓋を、載せて使用する事を特徴とする請求項１記載の編籠。